(57)【要約】【課題】室内に配置される室内端末を介することで利便性の高い電子錠システムを提供すること。【解決手段】建築物の部屋の扉に設けられ、前記扉の開錠信号又は施錠信号を受信すると前記扉を開錠又は施錠する電子錠と、前記部屋の室内に載置され、無線通信により前記電子錠へ開錠信号又は施錠信号を送信する室内端末とを備え、前記室内端末は、所定時間毎に前記電子錠との通信接続を確認する通信接続確認部を有することを特徴とする電子錠システム。【選択図】図１
2018028206.tif 000002
【特許請求の範囲】
【請求項１】
建築物の部屋の扉に設けられ、前記扉の開錠信号又は施錠信号を受信すると前記扉を開錠又は施錠する電子錠と、
前記部屋の室内に載置され、無線通信により前記電子錠へ開錠信号又は施錠信号を送信する室内端末とを備え、
前記室内端末は、所定時間毎に前記電子錠との通信接続を確認する通信接続確認部を有することを特徴とする電子錠システム。
【請求項２】
前記電子錠は、バッテリと、前記バッテリの残量を検出するバッテリ残量検出部とを有し、
前記室内端末は、所定の時間毎に前記バッテリの残量を確認するバッテリ残量確認部を有することを特徴とする請求項１に記載の電子錠システム。
【請求項３】
前記室内端末は、撮像素子と、撮像を指示する撮像指示を受信すると前記撮像素子による撮像を行う撮像部とを有することを特徴とする請求項１又は請求項２に記載の電子錠システム。
【請求項４】
前記電子錠の開錠指示信号又は施錠指示信号を送信するユーザ端末をさらに備え、
前記室内端末は、前記ユーザ端末から前記開錠指示信号又は前記施錠指示信号を受信すると無線通信により前記電子錠へ開錠信号又は施錠信号を送信することを特徴とする請求項１乃至請求項３のいずれかに記載の電子錠システム。
【請求項５】
前記電子錠は、前記扉の施錠状態を検知する施錠状態検知部を有し、
前記室内端末は、前記ユーザ端末から前記扉の施錠状態を確認する施錠状態確認指示信号を受信すると無線通信により前記電子錠へ施錠状態を確認する施錠状態確認信号を送信して、前記扉の施錠状態を確認する施錠状態確認部を有することを特徴とする請求項１乃至請求項４のいずれかに記載の電子錠システム。
【請求項６】
前記電子錠と、前記室内端末とがどの部屋に設置されているかが関連付けて記憶された第１のデータベースを有する管理装置を備え、
前記室内端末は、前記電子錠と、前記室内端末とを関連付ける部屋の変更を受付ける第１の受付部を有することを特徴とする請求項１乃至請求項５のいずれかに記載の電子錠システム。
【請求項７】
前記ユーザ端末は、認証情報を送信し、
前記管理装置は、前記電子錠を操作可能なユーザの認証情報が登録されている第２のデータベースを参照して、前記ユーザ端末から送信される認証情報が前記第２のデータベースに登録されているかを認証する認証部と、前記認証部で認証された場合に、前記ユーザ端末による前記電子錠の操作を許可する操作許可部とを有することを特徴とする請求項６に記載の電子錠システム。
【請求項８】
前記第２のデータベースには、前記電子錠を操作可能な時間帯が前記認証情報に関連づけて登録され、
前記認証部は、前記認証情報を受信した受信日時に操作可能な前記電子錠があるかを確認することを特徴とする請求項７に記載の電子錠システム。
【請求項９】
前記管理装置は、
前記部屋の一時利用の予約を受付ける予約受付部と、
前記予約受付部で受付けられた前記部屋を一時利用する時間帯を、前記電子錠を操作可能な時間帯として、前記認証情報に関連付けて前記第２のデータベースに登録する第２のデータベース更新部と
を有することを特徴とする請求項８に記載の電子錠システム。
【発明の詳細な説明】
【技術分野】
【０００１】
本発明は、遠隔操作により扉の施錠及び開錠を行う電子錠を用いた電子錠システムに関する。
【背景技術】
【０００２】
近年、扉を自動で施錠及び開錠できる電子錠システムのニーズが高まっている。例えば、賃貸物件を借りる場合、見込み客を実際に室内に案内するいわゆる内覧が行われる。内覧を行うためには物件の家主等から鍵を借り受ける必要があり手続きが非常に煩わしいという問題がある。しかしながら、鍵を複製したり、物件近く（例えば、キーボックス内、ポスト内や機械室内）に鍵を隠したりしておくことはセキュリティ上好ましくない。また、オフィスにおいても、複数の従業員が出入りする場合、従業員の人数分だけ鍵を複製したり、オフィス近くに鍵を隠しておくことはセキュリティ上好ましくない。
【０００３】
また、近年では、部屋を貸す人と借りる人とをマッチングさせるサービスが提供されている。該サービスでは、業者を介することなく個人間で部屋を貸し借りすることができ、例えば、自宅を留守にする間、他人に貸し出すといったことが可能となる。しかしながら、この場合も、留守の間に他人に自宅の鍵を貸し出すことは、鍵を複製される虞がありセキュリティ上からも好ましくない。また、貸し出すたびに鍵を交換することは費用や手間の点からも好ましくない。
【０００４】
さらに、年、月、週、日等の期限付きで使用される施設場所、例えば月決めまたは年決めの賃貸住宅、マンスリー（またはウィークリー）マンション、貸し店舗、貸し別荘、貸し会議室等においても、鍵を借り受ける場合、手続きが非常に煩わしいという問題がある。また、受付を設けて人を配置すると人件費が嵩むため無人化したいという要望がある。
【０００５】
以上のように、扉を遠隔操作により施錠及び開錠できる電子錠システムが求められているが、従来の電子錠システムは、電子錠が予め扉に内蔵されているものが主流となっている（例えば、特許文献１参照）。しかしながら、電子錠が予め扉に内蔵されているタイプのものは、扉を交換する必要があり作業が非常に大がかりとなる問題がある。また、費用も高額となる問題がある。さらに、賃貸物件の場合は、そもそも扉を交換することができなかったり、退去時に扉をもとに戻す（原状回復を行う）必要があるという問題がある。
【０００６】
そこで、扉に後付けできる電子錠が提案されている（例えば、特許文献２参照）。この電子錠では、サムターンのスカート部と扉との間に取り付けベースを挟みこみ、サムターンを覆うようにして、この取り付けベースにサムターンを回転駆動する本体部を取り付けるため扉に電子錠を後付することができる。このため扉を交換する必要がなく作業が大がかりとならず、また、賃貸物件の場合は、退去時に扉をもとに戻す（原状回復を行う）ことも容易である。
【先行技術文献】
【特許文献】
【０００７】
【特許文献１】特開平１０−２９２６８８号公報
【特許文献２】特開平９−２１７５３０号公報
【発明の開示】
【発明が解決しようとする課題】
【０００８】
しかしながら、後付できるタイプの電子錠は、配線工事を不要とするために無線通信により施錠信号や開錠信号を受信している。ＷｉＦｉ等による無線通信は非常に電力を消耗するためにバッテリの消耗も激しくなる。バッテリの残量が無くなると電子錠として機能しなくなるため、バッテリを頻繁に交換する必要が生じ、経済的でないだけでなく、非常に手間がかかるという問題がある。また、従来の電子錠システムは、電子錠に直接アクセスするために、設定変更等が容易でなく利便性が低いという問題がある。
【０００９】
本発明は、上記課題の解決のためになされたものであり、室内に配置される室内端末を介することで利便性の高い電子錠システムを提供することを目的とする。
【課題を解決するための手段】
【００１０】
上記の課題を解決すべく、本発明に係る電子錠システムは、建築物の部屋の扉に設けられ、前記扉の開錠信号又は施錠信号を受信すると前記扉を開錠又は施錠する電子錠と、前記部屋の室内に載置され、無線通信により前記電子錠へ開錠信号又は施錠信号を送信する室内端末とを備え、前記室内端末は、所定時間毎に前記電子錠との通信接続を確認する通信接続確認部を有することを特徴とする。
【００１１】
上記構成によれば、所定時間毎に、無線通信により電子錠との通信接続を確認するようにしているので電力の消耗を抑制することができる。すなわち、バッテリの消耗を抑制できるので、バッテリを頻繁に交換する必要がなく、非常に経済的に運用を行うことができる。また、定期的に通信接続を確認することで、電子錠及び／又は室内端末の盗難を抑制することができる。また、室内に配置される室内端末を介してデータをやり取りするので利便性が向上する。
【００１２】
また、本発明に係る電子錠システムの前記電子錠は、バッテリと、前記バッテリの残量を検出するバッテリ残量検出部とを有し、前記室内端末は、所定の時間毎に前記バッテリの残量を確認するバッテリ残量確認部を有することを特徴とする。
【００１３】
上記構成によれば、電子錠のバッテリの残量を確認することができるので、バッテリの残量に応じて交換又は充電する等の対策を行うことができる。このため、定期的にバッテリを交換又は充電するなどの対策を行う必要がなく、残量が十分あるにもかかわらずバッテリの交換をすることになり非常に経済的に運用することができる。
【００１４】
また、本発明に係る電子錠システムの前記室内端末は、撮像素子と、撮像を指示する撮像指示を受信すると前記撮像素子による撮像を行う撮像部とを有することを特徴とする。
【００１５】
上記構成によれば、管理者等が任意のタイミングで室内を撮像して、室内の様子を把握することができ、実際の予約者と使用者が異なる等、申告内容と実際の使用状況が異なる場合や、緊急事態等を検知することができ、契約トラブルや事件・事故を未然に防いだり、スムーズに解決することができる。
【００１６】
また、本発明に係る電子錠システムは、前記電子錠の開錠指示信号又は施錠指示信号を送信するユーザ端末をさらに備え、前記室内端末は、前記ユーザ端末から前記開錠指示信号又は前記施錠指示信号を受信すると無線通信により前記電子錠へ開錠信号又は施錠信号を送信することを特徴とする。
【００１７】
上記構成によれば、ユーザ端末からの開錠指示信号又は施錠指示信号を、インターネットを経由して室内端末で受信し、この室内端末から無線通信により電子錠へ開錠信号又は施錠信号を送信する。このため、通信エラーを抑制して、確実に電子錠を操作することができる。
【００１８】
また、本発明に係る電子錠システムの前記電子錠は、前記扉の施錠状態を検知する施錠状態検知部を有し、前記室内端末は、前記ユーザ端末から前記扉の施錠状態を確認する施錠状態確認指示信号を受信すると無線通信により前記電子錠へ施錠状態を確認する施錠状態確認信号を送信して、前記扉の施錠状態を確認する施錠状態確認部を有することを特徴とする。
【００１９】
上記構成によれば、扉の施錠状態を確認することができるので、退室時等の扉の閉め忘れ等を防止することができ、防犯上好ましい。
【００２０】
また、本発明に係る電子錠システムは、前記電子錠と、前記室内端末とがどの部屋に設置されているかが関連付けて記憶された第１のデータベースを有する管理装置を備え、前記室内端末は、前記電子錠と、前記室内端末とを関連付ける部屋の変更を受付ける第１のデータベース更新部を有することを特徴とする。
【００２１】
上記構成によれば、電子錠と、室内端末とがどの部屋に設置されているかが関連付けて記憶された第１のデータベースを有する管理装置を備えており、室内端末から第１のデータベース更新部を更新して電子錠と、室内端末とを関連付ける部屋を変更することができる。このため、電子錠及び／又は室内端末を設置する部屋を別の部屋に変更した際に、簡易に電子錠及び／又は室内端末と部屋との関連付けの設定を変更することができるので利便性に優れる。
【００２２】
また、本発明に係る電子錠システムの前記ユーザ端末は、認証情報を送信し、前記管理装置は、前記電子錠を操作可能なユーザの認証情報が登録されている第２のデータベースを参照して、前記ユーザ端末から送信される認証情報が前記第２のデータベースに登録されているかを認証する認証部と、前記認証部で認証された場合に、前記ユーザ端末による前記電子錠の操作を許可する操作許可部とを有することを特徴とする。
【００２３】
上記構成によれば、電子錠を操作できるユーザを認証し、認証されたユーザにのみ電子錠の操作を許可することができる。このため、マンションやアパート、ビル等の建築物内の部屋の一時利用者（例えば、会議室、社宅、民泊、内覧（内見）等による一時利用）や、建築物のメンテナンス（例えば、掃除、設備の補修等）業者にのみ電子錠の操作を許可することができセキュリティ性が向上する。
【００２４】
また、本発明に係る電子錠システムの前記第２のデータベースには、前記電子錠を操作可能な時間帯が前記認証情報に関連づけて登録され、前記認証部は、前記認証情報を受信した受信日時に操作可能な前記電子錠があるかを確認することを特徴とする。
【００２５】
上記構成によれば、電子錠を操作できるユーザを認証することに加え、電子錠を操作できる時間帯についても認証するようにしたので、マンションやアパート、ビル等の建築物内の部屋を一時利用（例えば、会議室、社宅、民泊、内覧（内見）等による一時利用）する時間帯や、建築物のメンテナンス（例えば、掃除、設備の補修等）の時間帯にのみ電子錠の操作を許可することでセキュリティ性がさらに向上する。
【００２６】
また、本発明に係る電子錠システムの管理装置は、前記部屋の一時利用の予約を受付ける予約受付部と、前記予約受付部で受付けられた前記部屋を一時利用する時間帯を、前記電子錠を操作可能な時間帯として、前記認証情報に関連付けて前記第２のデータベースに登録する第２のデータベース更新部とを有することを特徴とする。
【００２７】
上記構成によれば、電子錠を操作できる時間帯を予約できるようにしたので、マンションやアパート、ビル等の建築物内の部屋を一時利用（例えば、会議室、社宅、民泊、内覧（内見）等による一時利用）する時間帯や建築物のメンテナンス（例えば、掃除、設備の補修等）の時間帯を予約しておき、実際に使用する際に電子錠を操作することができるのでユーザの利便性がさらに向上する。
【発明の効果】
【００２８】
以上説明したように、本発明によれば、室内に配置される室内端末を介することで利便性の高い電子錠システムを提供することができる。
【図面の簡単な説明】
【００２９】
【図１】本実施形態に係る電子錠システムの構成図である。
【図２】本実施形態に係る室内端末の構成図である。
【図３】本実施形態に係る電子錠の構成図である。
【図４】本実施形態に係る電子錠の使用状態を示す図である。
【図５】本実施形態に係る管理装置（サーバ）の構成図である。
【図６】本実施形態に係るユーザ端末の構成図である。
【図７】本実施形態に係る電子錠システムの動作を示すフローチャートである。
【図８】本実施形態に係る電子錠システムの動作を示すフローチャートである。
【図９】本実施形態に係る電子錠システムの動作を示すフローチャートである。
【図１０】本実施形態に係る電子錠システムの動作を示すフローチャートである。
【図１１】本実施形態に係る電子錠システムの動作を示すフローチャートである。
【図１２】本実施形態に係る電子錠システムの動作を示すフローチャートである。
【図１３】本実施形態に係る電子錠システムの動作を示すフローチャートである。
【図１４】本実施形態に係る電子錠システムの動作を示すフローチャートである。
【発明を実施するための形態】
【００３０】
以下、図面を参照して本発明の実施の形態を説明する。
【００３１】
（実施形態）
図１は、本実施形態に係る電子錠システムの構成図である。本実施形態に係る電子錠システムは、例えば、会議室、社宅、民泊、内覧（内見）、メンテナンス（例えば、掃除、設備の補修等）等、マンションやアパート、ビル等の建築物内の部屋の一時利用を管理するためのシステムである。
【００３２】
図１に示すように、本実施形態に係る電子錠システムは、建築物の部屋内（室内）に設置される室内端末１００と、部屋の扉Ｄ（の室内側）に設けられた電子錠２００と、管理装置（サーバ）３００と、ユーザ端末４００とを備えている。室内端末１００、電子錠２００、管理装置（サーバ）３００及びユーザ端末４００は、WifiやBluetooth（登録商標）等の無線ＬＡＮや有線ＬＡＮ及び公衆回線等のネットワーク５００により互いに接続され、データ通信が可能となっている。
【００３３】
（室内端末１００）
図２は、本実施形態に係る室内端末１００の構成図である。室内端末１００は、例えば、タブレット端末であり、設置された部屋の扉に取り付けられている電子錠２００と無線通信し、電子錠２００に施錠信号及び開錠信号を送信する。また、室内端末１００は、電子錠２００の施錠状態やバッテリの残量等を確認する。
【００３４】
図２に示すように、室内端末１００は、無線通信部１０１、通信接続確認部１０２、バッテリ残量確認部１０３、撮像部１０４、施錠状態確認部１０５、操作受付部１０６、マイク１０７、スピーカ１０８、表示装置１０９、制御部１１０、バッテリ１１１及び識別子格納部１１２を有する。
【００３５】
無線通信部１０１は、電子錠２００と無線通信により（指示信号を含む）データの送受信を行う。また、室内のアクセスポイント（例えば、Wi-Fiルータ等）を介して管理装置３００と（指示信号を含む）データの送受信を行う。
【００３６】
通信接続確認部１０２は、所定時間毎に電子錠２００との通信接続を確認する。バッテリ残量確認部１０３は、所定の時間毎に電子錠２００のバッテリの残量を確認する。具体的には、電子錠２００のバッテリ２０５の電圧からバッテリ２０５の残量を算出する。撮像部１０４は、ＣＭＯＳイメージセンサやＣＣＤイメージセンサ等の固体撮像素子を有し、撮像を指示する撮像指示を受信すると固体撮像素子による撮像を行う。
【００３７】
施錠状態確認部１０５は、ユーザ端末４００から扉Ｄの施錠状態を確認する施錠状態確認指示信号を受信すると、無線通信により電子錠２００へ施錠状態を確認する施錠状態確認信号を送信して、扉Ｄの施錠状態を確認する。
【００３８】
操作受付部１０６は、例えば、タッチパッド等を有し、ユーザによる操作入力を受け付ける。マイク１０７は、マイクロフォンであり、音を電気信号に変換する。スピーカ１０８は、電気信号を音楽や音声などの音に変換する。表示装置１０９は、例えば、液晶装置や有機ＥＬであり、電子錠システムの操作・管理に必要な画面を表示する。制御部１１０は、室内端末１００を制御する。バッテリ１１１は、１次電池又は２次電池であり、室内端末１００へ電力を供給する。識別子格納部１１２は、例えば、不揮発性メモリであり、室内端末１００の固有の識別子（ＴＩＤ）を格納する。なお、室内端末１００のマイク１０７、スピーカ１０８、表示装置１０９を利用して、部屋の一時利用者と、部屋の管理者やシステム開発者とがＴＶ通話を行うことができるように構成してもよい。
【００３９】
（電子錠２００）
図３は、本実施形態に係る電子錠２００の構成図である。図３に示すように、電子錠２００は、サムターン把持部２０１、本体部２０２、無線通信部２０３、駆動機構２０４、バッテリ２０５、バッテリ残量検出部２０６、施錠状態検知部２０７、識別子格納部２０８及び制御部２０９を有する。
【００４０】
電子錠２００は、サムターン把持部２０１及び本体部２０２で構成される。サムターン２０１は、一端側が本体部２０２に回転可能に連結され、他端側が扉ＤのサムターンＳのつまみＴを保持できるように構成されている。本体部２０２には、無線通信部２０３、駆動機構２０４、バッテリ２０５、バッテリ残量検出部２０６、施錠状態検知部２０７、識別子格納部２０８及び制御部２０９が収容されている。
【００４１】
無線通信部２０３は、室内端末１００と無線通信により（指示信号を含む）データの送受信を行う。駆動機構２０４は、モータ等の駆動源を有し、サムターン把持部２０１を回転動作させ、扉Ｄを施錠及び開錠する。バッテリ２０５は、１次電池又は２次電池であり、電子錠２００へ電力を供給する。バッテリ残量検出部２０６は、例えば、電圧計であり、バッテリ２０５の電圧を検出する。なお、電圧以外の方法により、バッテリ２０５の残量を検出するようにしてもよい。
【００４２】
施錠状態検知部２０７は、サムターン把持部２０１の回転角度を検知するセンサで構成され、サムターン把持部２０１の回転角度から扉Ｄが施錠状態であるか開錠状態であるかを検出する。なお、サムターン把持部２０１の回転角度を検知するセンサは、接触型、非接触型のどちらで構成されていても構わない。識別子格納部２０８は、例えば、不揮発性メモリであり、電子錠２００の固有の識別子（ＮＩＤ）を格納する。制御部２０９は、電子錠２００を制御する。
【００４３】
図４は、本実施形態に係る電子錠２００の使用状態を示す図である。図４に示すように、電子錠２００は、部屋の扉Ｄの室内側に両面テープＤＳＴ等により取り付けられる。電子錠２００は、扉ＤのサムターンＳを回転させることにより扉ＤのデットボルトＤＢを動作させて扉Ｄを施錠又は開錠する。電子錠２００は、サムターンＳのツマミＴを挟持する挟持機構２１０を有しており、この挟持機構２１０を回転動作させることでサムターンＳを回転動作させる。
【００４４】
電子錠２００は、無線通信用のアンテナを有し、室内端末１００から送信される管理装置３００からの開錠信号又は施錠信号を無線信号により受信し、この無線受信した開錠信号又は施錠信号に基づいて扉ＤのサムターンＳを回転させ扉Ｄを開錠又は施錠する。なお、扉Ｄの開錠後にドアノブＤＮを回すとラッチボルトＬＢが扉Ｄ側に収容されて扉Ｄを開くことができる。
【００４５】
（管理装置（サーバ）３００）
図５は、本実施形態に係る管理装置（サーバ）の構成図である。図５に示すように、管理装置３００は、送受信部３０１と、データベース３０２（第１，第２のデータベース）と、認証部３０３と、操作許可部３０４と、予約受付部３０５と、データベース更新部３０６（第１，第２のデータベース更新部）と、制御部３０７とを有する。以下、簡単に各構成について説明するが、各構成の詳細動作については図７〜図９を参照して後述する。
【００４６】
送受信部３０１は、ネットワーク５００を介して、室内端末１００及びユーザ端末４００とデータを送受信する。具体的には、送受信部３０１は、ユーザ端末４００から送信される開錠指示信号、施錠指示信号、バッテリ残量確認指示信号、施錠状態確認指示信号及び認証情報等を受信する。また、送受信部３０１は、室内端末１００に対し電子錠２００の開錠信号、施錠信号、バッテリ残量確認信号及び施錠状態確認信号等を送信する。
【００４７】
データベース３０２には、電子錠２００を操作可能なユーザＵの認証情報と、ユーザＵが電子錠２００を操作可能な時間帯（利用時間帯）とが関連づけて登録されている。また、データベース３０２には、物件データ及びアカウントデータが記憶されている。
【００４８】
具体的には、以下の表１に示すように、データベース３０２には、建築物のＩＤ（ＢＩＤ）に、テキストデータ（例えば、建築物名（例：○○レジデンス）、建築物の住所、最寄り駅、最寄り駅からの距離等の案内文）、画像データ（建築物の外観、内装等の写真、地図等）等が関連付けて登録されている。
【００４９】
【表１】
2018028206.tif 000003
【００５０】
また、以下の表２に示すように、各建築物のＩＤ（ＢＩＤ）には、該建築物の部屋のＩＤ（ＲＩＤ）、部屋の扉に取り付けられている電子錠２００のＩＤ（ＮＩＤ）、室内に設置されている室内端末１００のＩＤ（ＴＩＤ）、テキストデータ（例えば、部屋名（例：２０１号室）、部屋の広さ、階数、収容人数、利用料金、ディスクレーム等の案内文）、画像データ（部屋の内装等の写真）等が関連付けて登録されている。
【００５１】
【表２】
2018028206.tif 000004
【００５２】
また、以下の表３に示すように、各部屋のＩＤ（ＲＩＤ）には、該部屋の予約状況（ユーザＩＤ（ＵＩＤ）、利用時間帯（利用日、開始時間、終了時間）、設備使用の有無、利用料金）等が関連付けて登録されている。
【００５３】
【表３】
2018028206.tif 000005
【００５４】
なお、設備には、一時利用する部屋が民泊や社宅等の宿泊施設である場合には、寝具、アメニティ（シャンプー類・石けん・歯ブラシ・かみそり・くし・シャワーキャップ・化粧品などの備品）等が該当し、一時利用する部屋が貸会議室である場合には、テーブル、椅子、プロジェクタ等が該当する。
【００５５】
また、表４に示すように、ユーザＩＤ（ＵＩＤ）には、アカウントデータ、例えば、アカウントＩＤ（ＡＩＤ）、パスワード（ＰＷ）、携帯電話番号、住所、氏名、会社名、メールアドレス、証明書（例えば、免許証、保険証など）の画像データ等のユーザ情報が関連づけて登録されている。なお、個人で登録している場合には、会社名は入力しなくともよい仕様としてもよい。ここで、ユーザ情報は、認証情報として利用される。本実施形態では、アカウントＩＤとパスワード又は携帯電話番号が認証情報として利用されるが、その他のユーザ情報を認証情報として利用してもよい。
【００５６】
【表４】
2018028206.tif 000006
【００５７】
認証部３０３は、ユーザ端末４００から送信される認証情報（ユーザ情報）がデータベース３０２に登録されているかを認証する。また、認証部３０３は、開錠指示信号を受信した受信日時に、認証したユーザが操作可能な（予約している）電子錠２００があるか（存在するか）を認証する。
【００５８】
例えば、ユーザＩＤ（ＵＩＤ）がＵ００１のユーザの場合、表４にユーザ情報が登録されていることから、認証部３０３は、ユーザ端末４００から送信される認証情報（ユーザ情報）がデータベース３０２に登録されていることを認証する。そして、ユーザＩＤ（ＵＩＤ）がＵ００１のユーザのユーザ端末４００から開錠指示信号を受信した受信日時に操作可能な電子錠２００が存在するか表３を参照して認証する。
【００５９】
具体的には、認証部３０３は、表２を参照して、表３の部屋に関連付けれた建築物のＩＤ（ＢＩＤ）を認識し、認証したユーザが操作可能な（予約している）電子錠２００があるか（存在するか）を認証する。
【００６０】
操作許可部３０４は、ユーザ端末４００送信される認証情報がデータベース３０２に登録されており、操作可能な電子錠２００があることが認証部３０３で認証された場合に、認証情報を送信したユーザ端末４００に対し、操作可能な（予約している）電子錠２００の操作を許可する。
【００６１】
予約受付部３０５は、部屋の一時利用の予約を受付ける。なおこの予約には、利用する部屋及び一時利用の時間帯（利用時間帯）の情報が含まれている。
【００６２】
データベース更新部３０６は、予約受付部３０５で受付けられた部屋を一時利用する時間帯（利用時間帯）を、電子錠２００を操作可能な時間帯として、ユーザ情報（認証情報）に関連付けてデータベース３０２に登録する。また、受付けられた室内端末１００及び電子錠２００を関連付ける部屋の変更に基づいてデータベース３０２を更新する。さらに、制御部３７０は、管理装置（サーバ）３００全体を制御する。
【００６３】
（ユーザ端末４００）
図６は、本実施形態に係るユーザ端末４００の構成図である。ユーザ端末４００は、例えば、ユーザＵが携帯するスマートフォンや携帯電話（いわゆるガラケー）、ＰＣ（Personal Computer）である。ユーザＵは、ユーザ端末４００を用いて、図１を参照して説明した建築物内の部屋の一時利用を予約する。また、ユーザは、ユーザ端末４００を用いて、予約した建築物内の部屋の扉に設けられている電子錠２００を操作して部屋の一時利用（例えば、会議室、社宅、民泊、内覧（内見）、掃除、設備の補修等）を行う。
【００６４】
なお、ユーザ端末４００には、建築物内の部屋を管理する管理者用の端末、建築物内の部屋を利用する利用者用の端末及び本実施形態の電子錠システムを開発する開発者用の端末等が含まれる。
【００６５】
図６に示すように、ユーザ端末４００は、送受信部４０１と、記憶部４０２と、表示装置４０３と、入力装置４０４と、制御部４０５と、バッテリ４０６とを有している。以下、簡単に各構成について説明するが、各構成の詳細動作については図７〜図１４を参照して後述する。
【００６６】
送受信部４０１は、無線アンテナを有し、ネットワーク５００を介して管理装置（サーバ）３００とデータを送受信する。記憶部４０２には、ユーザ端末４００の固有の識別子である携帯電話番号が記憶されている。ユーザ端末４００が携帯電話（いわゆるガラケー）である場合、この携帯電話番号は、ユーザが、ユーザ端末４００を用いて、図１を参照して説明した建築物内の部屋の一時利用を予約したり、予約した建築物内の部屋の扉Ｄに設けられている電子錠２００を操作する際の認証情報として利用される。
【００６７】
表示装置４０３は、例えば、液晶パネルや有機ＬＥＤパネルであり、ユーザＵが建築物内の部屋の一時利用を予約したり、予約した建築物内の部屋の扉Ｄに設けられている電子錠２００を操作する際に必要な画面が表示されるほか、アカウントの作成や一時利用の予約をする際に必要な画面が表示される。
【００６８】
入力装置４０４は、例えば、タッチパネルや入力キーであり、ユーザＵがアカウントの作成や一時利用の予約をする際に利用されるほか、予約した建築物内の部屋の扉Ｄに設けられている電子錠２００を操作する際に利用される。
【００６９】
制御部４０５は、ユーザ端末４００全体を制御する。バッテリ４０６は、１次電池又は２次電池であり、ユーザ端末４００に電力を供給する。
【００７０】
（電子錠システムの動作）
図７〜図１４は、本実施形態に係る電子錠システムの動作を示すフローチャートである。以下、図１〜図１４を参照して、本実施形態に係る電子錠システムの動作について説明する。
【００７１】
（通信接続の確認動作）
図７は、電子錠システムにおける通信接続の確認動作のフローチャートである。初めに、室内端末１００の通信接続確認部１０２は、所定時間毎、例えば、３０分毎に電子錠２００との通信接続を確認する。具体的には、通信接続確認部１０２は、所定の時間毎に電子錠２００の無線通信部２０３との通信接続を確認する（Ｓ１０１）。この通信の確認には、例えば、室内端末１０２から通信確認要求を送信し、電子錠２００からの応答を受信することが考えられる。なお、他の方法により室内端末１００と電子錠２００との通信接続を確認するようにしてもよいことは言うまでもない。
【００７２】
（バッテリ残量の確認動作）
図８は、電子錠システムにおけるバッテリ残量の確認動作のフローチャートである。初めに、室内端末１００のバッテリ残量確認部１０３は、所定の時間毎、例えば、３０分毎に電子錠２００のバッテリの残量を確認する。具体的には、バッテリ残量確認部１０３は、所定の時間毎に電子錠２００のバッテリ残量検出部２０６に計測した電圧を送信するように指示する（Ｓ２０１）。バッテリ残量確認部１０３は、電子錠２００の無線通信部２０３を介して送信される電圧から電子錠２００のバッテリ残量を算出することでバッテリの残量を確認する（Ｓ２０２）。
【００７３】
なお、この実施形態では、バッテリ残量を電圧から算出しているが他の手法により電子錠２００のバッテリ残量を確認するようにしてもよい。また、室内端末１００の表示装置１０９にバッテリ残量検出部２０６で計測された残量を表示するようにしてもよい。さらに、バッテリの残量が所定の閾値未満もしくは閾値以下となった場合、アラートを通知するようにしてもよい。このアラートの通知は、室内端末１００の表示装置１０９に表示するようにしてもよいし、スピーカ１０８から音声出力してもよい。また、アラートを管理者用やシステム開発者用のユーザ端末４００へ通知するようにしてもよい。さらに、電子錠２００のバッテリ残量及びアラート通知は、管理装置３００でも確認できるように構成することが好ましい。
【００７４】
（撮像動作）
図９は、電子錠システムにおける撮像動作のフローチャートである。初めに、室内端末１００の撮像部１０４は、例えば、管理者用のユーザ端末４００から送信される撮像を指示する撮像指示を受信すると固体撮像素子による撮像を行う（Ｓ３０１）。室内端末１００の撮像部１０４は、撮像した撮像データを、無線通信部１０１を介して管理装置３００へ送信する（Ｓ３０２）。管理装置３００に送信された撮像データは、撮像した室内端末１００のＩＤに関連付けて記憶（格納）される。また、室内端末１００での撮像データは、管理人用やシステム開発者用のユーザ端末４００にも送信されるため、該ユーザ端末４００で確認することもできる。
【００７５】
（施錠状態の確認動作）
図１０は、電子錠システムにおける施錠状態の確認動作のフローチャートである。初めに、室内端末１００の施錠状態確認部１０５は、ユーザ端末４００から扉Ｄの施錠状態を確認する施錠状態確認指示信号を受信すると（Ｓ４０１）、無線通信により電子錠２００へ施錠状態を確認する施錠状態確認信号を送信する（Ｓ４０２）。施錠状態確認信号を受信した電子錠２００の施錠状態検知部２０７は、サムターン把持部２０１の回転角度から扉Ｄが施錠状態であるか開錠状態であるかを検出する（Ｓ４０３）。
【００７６】
次に、施錠状態検知部２０７は、検出した扉Ｄの施錠状態を、無線通信部２０３を介して室内端末１００へ送信する（Ｓ４０４）。室内端末１００の施錠状態確認部１０５は、電子錠２００から送信される扉Ｄの施錠状態の検出結果に基づいて扉Ｄの施錠状態を確認し（Ｓ４０５）、その結果をユーザ端末４００へ送信する（Ｓ４０６）。
【００７７】
（関連付けの変更）
図１１は、室内端末１００と、電子錠２００とが関連付けられている部屋を変更する際の動作を示すフローチャートである。初めに、ユーザは、室内端末１００を操作して、電子錠２００と、室内端末１００とを関連付ける部屋の変更を受付ける画面を表示する指示すると、電子錠２００と、室内端末１００とを関連付ける部屋の変更を受付ける画面が表示装置１０９に表示される（Ｓ５０１）。次に、ユーザは、表示装置１０９に表示された画面を操作して、電子錠２００と、室内端末１００とを関連付ける部屋の変更を指示すると、該変更操作が操作受付部１０６（第１の受付部）で受け付けられる（Ｓ５０２）。ここで、室内端末１００と、電子錠２００との部屋への関連付けの変更は、室内端末１００又は電子錠２００の少なくとも一方の関連付けを変更することができるように構成されている。
【００７８】
操作受付部１０６（第１の受付部）で受け付けられた変更は、無線通信部１０１を介して管理装置３００へ送信される（Ｓ５０３）。管理装置３００では、電子錠２００と、室内端末１００とを関連付ける部屋の変更を受信すると、データベース更新部３０６によりデータベース３０２の表２が受信した内容で更新（変更）される（Ｓ５０４）。
【００７９】
なお、室内端末１００と、電子錠２００とが関連付けられている部屋の変更、すなわちデータベース３０２の更新は、室内端末１００だけでなく、管理者や開発者用のユーザ端末４００から変更可能なように構成してもよい。この場合、管理者や開発者用のユーザ端末４００に電子錠２００と、室内端末１００とを関連付ける部屋の変更操作を受け付ける操作受付部（第１の受付部）を有するように構成される。
【００８０】
（アカウント作成）
次に、図１２を参照してアカウント作成の手順について説明する。ユーザＵは、ユーザ端末４００の入力装置４０４を操作して、電子錠システムのアカウント作成のＷＥＢサイトへアクセスする（Ｓ６０１）。ユーザ端末４００の表示装置４０３にアカウント作成のページが表示される（Ｓ６０２）。次に、ユーザＵは、ユーザ端末４００の入力装置４０４を操作してアカウント作成に必要なユーザ情報（例えば、住所、氏名、連絡先、携帯電話番号、メールアドレス）を登録する（Ｓ６０３）。なお、ここで登録するユーザ情報は、認証情報として利用される。
【００８１】
また、ユーザＵは、ユーザ端末４００の入力装置４０４を操作して自身を証明する証明書（例えば、免許証、保険証）の画像をアップロードして登録する（Ｓ６０４）。全ての事項の登録が完了すると、電子錠システムの運用者により証明書の確認（本人確認）が行われ、確認が取れるとアカウントＩＤとＰＷ（Password）が発行される（Ｓ６０５）。発行されたアカウントＩＤとＰＷは、Ｓ１０３で登録した連絡先に送信される。なお、このアカウント作成は、ユーザ端末４００以外（例えば、ＰＣ（Personal Computer）やタブレット端末）からも行うことができる。なお、アカウントＩＤとＰＷをユーザが設定できるようにしてもよい。
【００８２】
（一時利用の予約）
次に、図１３を参照して、電子錠システムの予約時の動作を説明する。ユーザは、ユーザ端末４００を利用して管理装置３００にアクセスし、ユーザＩＤ及びパスワードを入力してログインする（Ｓ７０１）。ログイン後、管理装置３００の制御部３７０は、データベース３０２に記憶されている部屋の一覧データを端末装置４００に送信するよう送受信部３０１へ指示する。
【００８３】
管理装置３００から送信される部屋の一覧データは、ユーザ端末４００で受信され、表示装置４０３に表示される（Ｓ７０２）。次に、ユーザが入力装置４０４を利用して、部屋の一覧から一時利用する部屋を選択すると（Ｓ７０３）、該選択が送受信部４０１から管理装置３００へと送信される。
【００８４】
管理装置３００の制御部３７０は、部屋が選択されると、選択された部屋の予約状況を示すデータを送信するよう送受信部３０１に指示する。管理装置３００から送信された予約状況は、ユーザ端末４００で受信され、表示装置４０３に表示される（Ｓ７０４）。次に、ユーザが予約状況を確認して、空いている時間帯に一時利用の予約を行うと、送受信部４０１により、部屋を一時利用する時間帯（利用時間帯（利用の日付、開始時間及び終了時間））が管理装置３００へと送信される。
【００８５】
管理装置３００の予約受付部３０５は、ユーザ端末４００から送信される予約指示を受付け（Ｓ７０５）、データベース更新部３０６は、予約受付部３０５で受付けられた部屋を一時利用する時間帯（利用時間帯）を、電子錠２００を操作可能な時間帯として、Ｓ７０１でユーザＩＤ及びパスワードを入力してログインしたユーザのユーザ情報（認証情報）に関連付けてデータベース３０２に登録し、予約内容の登録を完了する（Ｓ７０６）。
【００８６】
なお、この部屋の一時利用の予約は、ユーザ端末４００以外の端末（例えば、ＰＣ（Personal Computer）やタブレット端末）からも行うことができる。
【００８７】
（電子錠２００の開錠）
次に、図１４を参照して、本実施形態に係る電子錠システムの開錠時の動作を説明する。ユーザ端末４００がスマートフォン等のブラウザの閲覧機能を備えている場合、ユーザＵは、予約した部屋まで来場すると、ユーザ端末４００を操作して、ログイン用のＷＥＢサイトにアクセスして、アカウントＩＤ及びパスワードを入力する。入力したアカウントＩＤ及びパスワード（認証情報）は、ユーザ端末４００の送受信部４０１により管理装置３００に送信される（Ｓ８０１）。
【００８８】
また、ユーザ端末４００が携帯電話（いわゆるガラケー）である場合、ユーザＵは、予約した部屋の建築物まで来場すると、ユーザ端末４００を操作して、専用ダイヤルに電話することで、ユーザ端末４００の送受信部４０１により認証情報（携帯電話番号）が管理装置３００に送信される（Ｓ８０１）。
【００８９】
管理装置３００の認証部３０３では、ユーザ端末４００から送信される認証情報がデータベースに記憶されているかを認証する（Ｓ８０２）。次に、認証部３０３は、認証情報を受信した日時に操作可能な電子錠２００がデータベース３０２に登録されているか（存在するか）を認証する（Ｓ８０３）。
【００９０】
認証部３０３で、認証情報及び操作可能な電子錠２００の登録（存在）が認証された場合（Ｓ８０２及びＳ８０３のＹｅｓ）、操作許可部３０４は、認証したユーザＵのユーザ端末４００に対し、電子錠２００の操作を許可する（Ｓ８０４）。また、管理装置３００の送受信部３０１は、Ｓ８０２で認証したユーザが予約している電子錠２００の情報（予約一覧）を認証したユーザ端末４００へ送信する。
【００９１】
ユーザ端末４００では、管理装置３００から送信される操作可能な電子錠２００の情報が表示装置４０３に表示される（Ｓ８０５）。この際、操作許可部３０４により操作が許可されている電子錠２００だけが開錠操作可能な状態で表示装置４０３に表示され、操作許可部３０４により操作が許可されていないその他の予約されている電子錠２００については、操作できない状態で表示される（例えば「この鍵はまだ利用できません」と表示装置４０３に表示される）。
【００９２】
ユーザＵは、表示された電子錠２００を確認してユーザ端末４００の入力装置４０４を操作し、操作可能な電子錠２００のうち開錠又は施錠したい扉Ｄの開錠を指示する。すると、管理装置３００の送受信部３０１は、扉Ｄの開錠又は施錠を指示する開錠指示信号又は施錠指示信号を室内端末１００へ送信する（Ｓ８０６）。次に、室内端末１００は、管理装置３００からの指示に基づいて、開錠信号又は施錠信号を電子錠２００へ送信する（Ｓ８０７）。
【００９３】
電子錠２００は、室内端末１００から送信される開錠信号又は施錠信号を受信すると扉Ｄを開錠又は施錠する（Ｓ８０８）。また、認証部３０３で認証されない場合（Ｓ８０２又はＳ８０３のＮｏ）、ユーザ端末４００の表示装置４０３にはエラーが表示される（Ｓ８０９）。
【００９４】
つまり、スマートフォン等、ブラウザ表示が可能なユーザ端末４００を携帯したユーザＵは、一時利用を予約した部屋まで来るとログインを行う。ログインを行うことでユーザＵの認証が行われ、予約した部屋を利用する為に必要な電子錠２００の情報が管理装置３００からユーザ端末４００に送信される。ユーザＵは、ユーザ端末４００に表示された電子錠２００を指定して開錠操作を指示することで室内端末１００を介して扉Ｄが開錠される。また、部屋を退去する際は、施錠操作を行うことで室内端末１００を介して扉Ｄが施錠される。
【００９５】
また、携帯電話（いわゆるガラケー）のユーザ端末４００を携帯したユーザＵは、予約した部屋で来ると、専用ダイヤルに電話することで、携帯電話番号による認証が行われる。該認証後、利用可能な電子錠２００の情報が音声により通知されるので、ユーザＵは、ユーザ端末４００を操作して電子錠２００を指定して開錠操作を指示することで室内端末１００を介して扉Ｄが開錠される。また、部屋を退去する際は、施錠操作を指示することで室内端末１００を介して扉Ｄが施錠される。
【００９６】
以上のように、本実施形態に係る電子錠システムは、建築物の部屋の扉に設けられ、扉Ｓの開錠信号又は施錠信号を受信すると扉Ｓを開錠又は施錠する電子錠２００と、部屋の室内に載置され、無線通信により電子錠２００へ開錠信号又は施錠信号を送信する室内端末１００とを備えている。そして室内端末１００は、所定時間毎に電子錠２００との通信接続を確認する通信接続確認部を有している。
【００９７】
つまり、本実施形態では、室内端末１００は、所定時間毎に、無線通信により電子錠２００との通信接続を確認するようにしているので電力の消耗を抑制することができる。すなわち、バッテリの消耗を抑制できるので、バッテリを頻繁に交換する必要がなく、非常に経済的に運用を行うことができる。また、定期的に通信接続を確認することで、電子錠２００及び／又は室内端末１００の盗難を抑制することができる。また、室内に配置される室内端末を介してデータをやり取りするので利便性が向上する。
【００９８】
また、本実施形態に係る電子錠システムの電子錠２００は、バッテリと、バッテリの残量を検出するバッテリ残量検出部とを有している。また、室内端末１００は、所定の時間毎に電子錠２００のバッテリの残量を確認するバッテリ残量確認部を有している。
【００９９】
つまり、本実施形態では、電子錠２００のバッテリの残量を確認することができるので、バッテリの残量に応じて交換又は充電する等の対策を行うことができる。このため、定期的にバッテリを交換又は充電するなどの対策を行う必要がなく、残量が十分あるにもかかわらずバッテリの交換をすることになり非常に経済的に運用することができる。
【０１００】
また、本実施形態に係る電子錠システムの室内端末１００は、撮像素子と、撮像を指示する撮像指示を受信すると撮像素子による撮像を行う撮像部１０４とを有している。つまり、本実施形態では、管理者等が任意のタイミングで室内を撮像して、室内の様子を把握することができ、実際の予約者と使用者が異なる等、申告内容と実際の使用状況が異なる場合や、緊急事態等を検知することができ、契約トラブルや事件・事故を未然に防いだり、スムーズに解決することができる。
【０１０１】
また、本実施形態に係る電子錠システムは、電子錠２０の開錠指示信号又は施錠指示信号を送信するユーザ端末４００をさらに備え、室内端末２００は、ユーザ端末４００から開錠指示信号又は施錠指示信号を受信すると無線通信により電子錠２００へ開錠信号又は施錠信号を送信している。
【０１０２】
つまり、本実施形態では、ユーザ端末４００からの開錠指示信号又は施錠指示信号を、インターネットを経由して室内端末１００で受信し、この室内端末１００から無線通信により電子錠２００へ開錠信号又は施錠信号を送信する。このため、通信エラーを抑制して、確実に電子錠２００を操作することができる。
【０１０３】
また、本実施形態に係る電子錠システムの電子錠２００は、扉Ｓの施錠状態を検知する施錠状態検知部を有している。また、室内端末１００は、ユーザ端末４００から扉Ｄの施錠状態を確認する施錠状態確認指示信号を受信すると無線通信により電子錠２００へ施錠状態を確認する施錠状態確認信号を送信して、扉Ｄの施錠状態を確認する施錠状態確認部を有している。つまり、本実施形態では、扉Ｄの施錠状態を確認することができるので、退室時等の扉Ｄの閉め忘れ等を防止することができ、防犯性に優れる。
【０１０４】
また、本実施形態に係る電子錠システムは、電子錠２００と、室内端末１００とがどの部屋に設置されているかが関連付けて記憶された第１のデータベースを有する管理装置（サーバ）３００を備える。そして、室内端末１００は、電子錠２００と、室内端末１００とを関連付ける部屋の変更を受付ける第１の受付部を有している。ここで、室内端末１００と、電子錠２００との部屋への関連付けの変更は、室内端末１００又は電子錠２００の少なくとも一方の関連付けを変更することができるように構成されている。
【０１０５】
つまり、本実施形態では、管理装置（サーバ）３００が、電子錠２００と、室内端末１００とがどの部屋に設置されているかが関連付けて記憶された第１のデータベースを有し、室内端末１００から第１のデータベース更新部を更新して電子錠２００と、室内端末１００とを関連付ける部屋を変更することができる。このため、電子錠２００及び／又は室内端末１００を設置する部屋を別の部屋に変更した際に、簡易に電子錠２００及び／又は室内端末１００と部屋との関連付けの設定を変更することができるので利便性に優れる。
【０１０６】
なお、室内端末１００と、電子錠２００とが関連付けられている部屋の変更、すなわちデータベース３０２の更新は、室内端末１００だけでなく、管理者や開発者用のユーザ端末４００から変更可能なように構成してもよい。この場合、管理者や開発者用のユーザ端末４００に電子錠２００と、室内端末１００とを関連付ける部屋の変更操作を受け付ける操作受付部（第１の受付部）を有するように構成される。
【０１０７】
また、本実施形態に係る電子錠システムのユーザ端末４００は、認証情報を送信し、管理装置（サーバ）３００は、電子錠２００を操作可能なユーザの認証情報が登録されている第２のデータベースを参照して、ユーザ端末２００から送信される認証情報が第２のデータベースに登録されているかを認証する認証部３０３と、認証部３０３で認証された場合に、ユーザ端末４００による電子錠２００の操作を許可する操作許可部３０４とを有している。
【０１０８】
上記構成によれば、電子錠２００を操作できるユーザを認証し、認証されたユーザにのみ電子錠２００の操作を許可するので、マンションやアパート、ビル等の建築物内の部屋の一時利用者（例えば、会議室、社宅、民泊、内覧（内見）等による一時利用）や、建築物のメンテナンス（例えば、掃除、設備の補修等）業者にのみ電子錠２００の操作を許可することができセキュリティ性が向上する。
【０１０９】
また、本実施形態に係る電子錠システムの第２のデータベース３０２には、電子錠２００を操作可能な時間帯が認証情報に関連づけて登録され、認証部３０３は、認証情報を受信した受信日時に操作可能な電子錠２００があるかを確認している。
【０１１０】
上記構成によれば、電子錠２００を操作できるユーザを認証することに加え、電子錠２００を操作できる時間帯についても認証するようにしたので、マンションやアパート、ビル等の建築物内の部屋を一時利用（例えば、会議室、社宅、民泊、内覧（内見）等による一時利用）する時間帯や、建築物のメンテナンス（例えば、掃除、設備の補修等）の時間帯にのみ電子錠２００の操作を許可することでセキュリティ性がさらに向上する。
【０１１１】
また、本実施形態に係る電子錠システムの管理装置３００は、部屋の一時利用の予約を受付ける予約受付部３０５と、予約受付部３０５で受付けられた部屋を一時利用する時間帯を、電子錠を操作可能な時間帯として、認証情報に関連付けて第２のデータベースに登録する第２のデータベース更新部３０６とを有している。
【０１１２】
上記構成によれば、電子錠２００を操作できる時間帯を予約できるようにしたので、マンションやアパート、ビル等の建築物内の部屋を一時利用（例えば、会議室、社宅、民泊、内覧（内見）等による一時利用）する時間帯や建築物のメンテナンス（例えば、掃除、設備の補修等）の時間帯を予約しておき、実際に使用する際に電子錠２００を操作することができるのでユーザの利便性がさらに向上する。
【産業上の利用可能性】
【０１１３】
以上で説明したように、本発明は、マンションやアパート、ビル等の建築物や建築物内の部屋を一時利用（例えば、会議室、社宅、民泊、内覧（内見）等による一時利用）する際に利用することができる。
【符号の説明】
【０１１４】
１００  室内端末
１０１  無線通信部
１０２  通信接続確認部
１０３  バッテリ残量確認部
１０４  撮像部
１０５  施錠状態確認部
１０６  操作受付部
１０７  マイク
１０８  スピーカ
１０９  表示装置
１１０  制御部
１１１  バッテリ
１１２  識別子格納部
２００  電子錠
２０１  サムターン把持部
２０２  本体部
２０３  無線通信部
２０４  駆動機構
２０５  バッテリ
２０６  バッテリ残量検出部
２０７  錠状態検知部
２０８  識別子格納部
２０９  制御部
３００  管理装置（サーバ）
３０１  送受信部
３０２  データベース
３０３  認証部
３０４  操作許可部
３０５  予約受付部
３０６  データベース更新部
３０７  制御部
４００  ユーザ端末
４０１  送受信部
４０２  記憶部
４０３  表示装置
４０４  入力装置
４０５  制御部
４０６  バッテリ
５００  ネットワーク
Ｄ  扉
Ｓ  サムターン
Ｔ  ツマミ
【図１】
2018028206.tif 000007
【図２】
2018028206.tif 000008
【図３】
2018028206.tif 000009
【図４】
2018028206.tif 000010
【図５】
2018028206.tif 000011
【図６】
2018028206.tif 000012
【図７】
2018028206.tif 000013
【図８】
2018028206.tif 000014
【図９】
2018028206.tif 000015
【図１０】
2018028206.tif 000016
【図１１】
2018028206.tif 000017
【図１２】
2018028206.tif 000018
【図１３】
2018028206.tif 000019
【図１４】
2018028206.tif 000020
【手続補正書】
【提出日】平成28年10月13日(2016.10.13)
【手続補正１】
【補正対象書類名】特許請求の範囲
【補正対象項目名】全文
【補正方法】変更
【補正の内容】
【特許請求の範囲】
【請求項１】
建築物の部屋の扉に設けられ、前記扉の開錠信号又は施錠信号を受信すると前記扉を開錠又は施錠する電子錠と、
前記部屋の室内に載置され、無線通信により前記電子錠へ開錠信号又は施錠信号を送信する室内端末とを備える
ことを特徴とする電子錠システム。
【請求項２】
前記室内端末は、前記電子錠との通信接続を確認する通信接続確認部を有することを特徴とする請求項１に記載の電子錠システム。
【請求項３】
前記通信接続確認部は、所定時間毎に前記電子錠との通信接続を確認することを特徴とする請求項２に記載の電子錠システム。
【請求項４】
前記電子錠は、バッテリと、前記バッテリの残量を検出するバッテリ残量検出部とを有し、
前記室内端末は、所定の時間毎に前記バッテリの残量を確認するバッテリ残量確認部を有することを特徴とする請求項１乃至請求項３のいずれかに記載の電子錠システム。
【請求項５】
前記室内端末は、撮像素子と、撮像を指示する撮像指示を受信すると前記撮像素子による撮像を行う撮像部とを有することを特徴とする請求項１乃至請求項４のいずれかに記載の電子錠システム。
【請求項６】
前記電子錠の開錠指示信号又は施錠指示信号を送信するユーザ端末をさらに備え、
前記室内端末は、前記ユーザ端末から前記開錠指示信号又は前記施錠指示信号を受信すると無線通信により前記電子錠へ開錠信号又は施錠信号を送信することを特徴とする請求項１乃至請求項５のいずれかに記載の電子錠システム。
【請求項７】
前記電子錠は、前記扉の施錠状態を検知する施錠状態検知部を有し、
前記室内端末は、前記ユーザ端末から前記扉の施錠状態を確認する施錠状態確認指示信号を受信すると無線通信により前記電子錠へ施錠状態を確認する施錠状態確認信号を送信して、前記扉の施錠状態を確認する施錠状態確認部を有することを特徴とする請求項６に記載の電子錠システム。
【請求項８】
前記電子錠と、前記室内端末とがどの部屋に設置されているかが関連付けて記憶された第１のデータベースを有する管理装置を備え、
前記室内端末は、前記電子錠と、前記室内端末とを関連付ける部屋の変更を受付ける第１の受付部を有することを特徴とする請求項６又は請求項７に記載の電子錠システム。
【請求項９】
前記ユーザ端末は、認証情報を送信し、
前記管理装置は、前記電子錠を操作可能なユーザの認証情報が登録されている第２のデータベースを参照して、前記ユーザ端末から送信される認証情報が前記第２のデータベースに登録されているかを認証する認証部と、前記認証部で認証された場合に、前記ユーザ端末による前記電子錠の操作を許可する操作許可部とを有することを特徴とする請求項８に記載の電子錠システム。
【請求項１０】
前記第２のデータベースには、前記電子錠を操作可能な時間帯が前記認証情報に関連づけて登録され、
前記認証部は、前記認証情報を受信した受信日時に操作可能な前記電子錠があるかを確認することを特徴とする請求項９に記載の電子錠システム。
【請求項１１】
前記管理装置は、
前記部屋の一時利用の予約を受付ける予約受付部と、
前記予約受付部で受付けられた前記部屋を一時利用する時間帯を、前記電子錠を操作可能な時間帯として、前記認証情報に関連付けて前記第２のデータベースに登録する第２のデータベース更新部と
を有することを特徴とする請求項１０に記載の電子錠システム。
【手続補正書】
【提出日】平成28年12月27日(2016.12.27)
【手続補正１】
【補正対象書類名】特許請求の範囲
【補正対象項目名】全文
【補正方法】変更
【補正の内容】
【特許請求の範囲】
【請求項１】
建築物の部屋の扉に設けられ、前記扉の開錠信号又は施錠信号を受信すると前記扉を開錠又は施錠する電子錠と、
前記部屋の室内に載置され、無線通信により前記電子錠へ開錠信号又は施錠信号を送信する室内端末とを備え、
前記室内端末は、所定時間毎に前記電子錠との通信接続を確認する通信接続確認部を有することを特徴とする電子錠システム。
【請求項２】
前記電子錠は、バッテリと、前記バッテリの残量を検出するバッテリ残量検出部とを有し、
前記室内端末は、所定の時間毎に前記バッテリの残量を確認するバッテリ残量確認部を有することを特徴とする請求項１に記載の電子錠システム。
【請求項３】
前記室内端末は、撮像素子と、撮像を指示する撮像指示を受信すると前記撮像素子による撮像を行う撮像部とを有することを特徴とする請求項１又は請求項２に記載の電子錠システム。
【請求項４】
前記電子錠の開錠指示信号又は施錠指示信号を送信するユーザ端末をさらに備え、
前記室内端末は、前記ユーザ端末から前記開錠指示信号又は前記施錠指示信号を受信すると無線通信により前記電子錠へ開錠信号又は施錠信号を送信することを特徴とする請求項１乃至請求項３のいずれかに記載の電子錠システム。
【請求項５】
前記電子錠は、前記扉の施錠状態を検知する施錠状態検知部を有し、
前記室内端末は、前記ユーザ端末から前記扉の施錠状態を確認する施錠状態確認指示信号を受信すると無線通信により前記電子錠へ施錠状態を確認する施錠状態確認信号を送信して、前記扉の施錠状態を確認する施錠状態確認部を有することを特徴とする請求項４に記載の電子錠システム。
【請求項６】
前記電子錠と、前記室内端末とがどの部屋に設置されているかが関連付けて記憶された第１のデータベースを有する管理装置を備え、
前記室内端末は、前記電子錠と、前記室内端末とを関連付ける部屋の変更を受付ける第１の受付部を有することを特徴とする請求項４又は請求項５に記載の電子錠システム。
【請求項７】
前記ユーザ端末は、認証情報を送信し、
前記管理装置は、前記電子錠を操作可能なユーザの認証情報が登録されている第２のデータベースを参照して、前記ユーザ端末から送信される認証情報が前記第２のデータベースに登録されているかを認証する認証部と、前記認証部で認証された場合に、前記ユーザ端末による前記電子錠の操作を許可する操作許可部とを有することを特徴とする請求項６に記載の電子錠システム。
【請求項８】
前記第２のデータベースには、前記電子錠を操作可能な時間帯が前記認証情報に関連づけて登録され、
前記認証部は、前記認証情報を受信した受信日時に操作可能な前記電子錠があるかを確認することを特徴とする請求項７に記載の電子錠システム。
【請求項９】
前記管理装置は、
前記部屋の一時利用の予約を受付ける予約受付部と、
前記予約受付部で受付けられた前記部屋を一時利用する時間帯を、前記電子錠を操作可能な時間帯として、前記認証情報に関連付けて前記第２のデータベースに登録する第２のデータベース更新部と
を有することを特徴とする請求項８に記載の電子錠システム。